(57)【特許請求の範囲】
【請求項１】
電源入力部と、絶縁型装置と、第１の電気機器の取りつけ部と、前記第１の電気機器への第１の電源出力部と、前記絶縁型装置からの第２の電源出力部と、浴室近傍に設けた第２の電気機器を接続する防水型接続部とから構成した浴室用電源装置であって、防水型接続部に第２の電源出力部側からのコネクタ受け部と接続状態検知手段とを設け、コネクタ受け部を、第２の電気機器側からのコネクタ差込部や、第２の電気機器を接続しない場合に保護コネクタ部をそれぞれ防水構造で接続可能とし、接続状態検知手段を、保護コネクタ部のコネクタ受け部への接続状態を検知可能にした浴室用電源装置。
【請求項２】
電源入力部と、絶縁型装置と、第１の電気機器の取りつけ部と、前記第１の電気機器への第１の電源出力部と、前記絶縁型装置からの第２の電源出力部とが電源ボックスとして一体に構成され、前記電源ボックスが防水構造である請求項１記載の浴室用電源装置。
【請求項３】
接続状態検知手段を、第２の電気機器側からのコネクタ差込部のコネクタ受け部への接続状態を検知可能にした請求項１又は請求項２記載の浴室用電源装置。
【請求項４】
接続状態検知手段は、コネクタ受け部に配置したスイッチとコネクタ差込部又は保護コネクタ部に配置した磁石により接続状態を検知する請求項３記載の浴室用電源装置。
【請求項５】
防水型接続部に接続状態報知手段と電流遮断手段とを設けた請求項１記載の浴室用電源装置。
【請求項６】
接続状態報知手段と電流遮断手段とをコネクタ受け部に設けた請求項５記載の浴室用電源装置。
【請求項７】
接続状態検知手段により接続状態を検知し、接続状態が良くない場合に、接続状態報知手段により使用者に知らせかつ電流遮断手段により電力の供給を停止するようにした請求項５または請求項６記載の浴室用電源装置。
【請求項８】
第１の電気機器と第２の電気機器への電源供給を切り替えるための切り替え制御部を設けた請求項１記載の浴室用電源装置。
【請求項９】
切り替え制御部は商用電源印可毎に第１の電気機器と第２の電気機器を共にＯＮするモードと第２の電気機器のみをＯＮするモードとを切り替える構成とした請求項８記載の浴室用電源装置。
【請求項１０】
切り替え制御部は商用電源をＯＦＦ後所定時間内に再度ＯＮする場合には第２の電気機器のみをＯＮするモードと第１の電気機器と第２の電気機器を共にＯＮするモードとを切り替え、所定時間経過後にＯＮする場合には第１の電気機器と第２の電気機器を共にＯＮするモードとした請求項９記載の浴室用電源装置。
【発明の詳細な説明】
【０００１】
【発明の属する技術分野】
本発明は浴室で使用する機器の電源装置に関するものである。
【０００２】
【従来の技術】
従来、浴室で使用する機器の電源装置は浴室の天井裏に設置される。
【０００３】
図１３において、浴室１の天井裏に電源装置２、および３を設置している。電源装置２は洗い場床暖房４用の電源であり、一次電源１００Ｖを電源装置２内で降圧し、出力を洗い場床暖房４にリード線５で接続する。電源装置３は噴流浴槽装置６用の電源であり、一次電源１００Ｖを電源装置３内で降圧し、出力を噴流浴槽装置５にリード線７で接続する。８は照明であり、９は換気扇である。
【０００４】
【発明が解決しようとする課題】
しかしながら上記従来の浴室で使用する電気機器の電源装置は天井裏に設置するため既設の浴室に新たに電気機器を設置する場合に電源装置を天井裏に設置するスペースがなく電気機器を設置できない場合があった。また浴室の壁と梁、間柱等との間に隙間がないため天井裏に設置した電源装置からリード線を通せず電気機器に電気を供給できない場合があった。さらに、浴室という水を使用する場所で電気機器を使用するためには、漏電や感電などの安全性を確保することが課題である。
【０００５】
【課題を解決するための手段】
本発明は上記課題を解決するために、電源入力部と、絶縁型装置と、第１の電気機器の取りつけ部と、前記第１の電気機器への第１の電源出力部と、前記絶縁型装置からの第２の電源出力部と、浴室近傍に設けた第２の電気機器を接続する防水接続部とから構成したものである。
【０００６】
上記発明によれば、既設の浴室に新たに電気機器を設置する場合に電源装置を天井裏に設置するスペースが必要なく、また電源装置からのリード線を浴室の壁と梁、間柱等との間の隙間を通す必要がなく容易に工事ができるとともに、絶縁および防水することにより安全性を確保することができる。
【０００７】
【発明の実施の形態】
本発明の請求項１にかかる発明は、電源入力部と、絶縁型装置と、第１の電気機器の取りつけ部と、前記第１の電気機器への第１の電源出力部と、前記絶縁型装置からの第２の電源出力部と、浴室近傍に設けた第２の電気機器を接続する防水型接続部とから構成した浴室用電源装置であって、防水型接続部に第２の電源出力部側からのコネクタ受け部と接続状態検知手段とを設け、コネクタ受け部を、第２の電気機器側からのコネクタ差込部や、第２の電気機器を接続しない場合に保護コネクタ部をそれぞれ防水構造で接続可能とし、接続状態検知手段を、保護コネクタ部のコネクタ受け部への接続状態を検知可能にしたものである。そして、既設の浴室に新たに電気機器を設置する場合に電源装置を天井裏に設置するスペースが必要なく、また電源装置からのリード線を浴室の壁と梁、間柱等との間の隙間を通す必要がなく容易に工事ができるとともに、絶縁しかつ防水することにより安全性を確保することができる。また、防水型接続部を設けることにより、浴室の使用者が新たな第２の電気機器への接続を容易にすることができる。また、簡単な構成で、防水型接続部が構成でき、防水構造にすることにより、漏電や感電などの安全性を確保することができる。また、コネクタ受け部とコネクタ差込部を設けることにより、浴室の使用者が新たな第２の電気機器への接続を容易にすることができる。また、保護コネクタ部を設けることにより、季節などにより第２の電気機器を使用しない場合における漏電や感電などの安全性が確保される。また、接続状態検知手段で、保護コネクタ部のコネクタ受け部への接続状態を検知できる。
【０００８】
本発明の請求項２にかかる発明は、電源入力部と、絶縁型装置と、第１の電気機器の取りつけ部と、前記第１の電気機器への第１の電源出力部と、前記絶縁型装置からの第２の電源出力部とが電源ボックスとして一体に構成され、前記電源ボックスが防水構造としたものである。そして、電源ボックスとして一体に構成することにより施工性が向上し、また防水構造にすることにより、安全性を確保できるのである。
【０００９】
本発明の請求項３にかかる発明は、接続状態検知手段を、第２の電気機器側からのコネクタ差込部のコネクタ受け部への接続状態を検知可能にしたものである。接続状態検知手段で第２の電気機器側からのコネクタ差込部のコネクタ受け部への接続状態を検知できる。
【００１０】
本発明の請求項４にかかる発明は、接続状態検知手段は、コネクタ受け部に配置したスイッチとコネクタ差込部又は保護コネクタ部に配置した磁石により接続状態を検知するものである。そして、ねじこみ不足の場合は磁石が離れているためスイッチがＯＮしないことにより、接続状態が悪いことを検知し、ねじこみが正常に行われれば磁石によりスイッチがＯＦＦし接続状態が正しいことを検知できる。
【００１１】
本発明の請求項５にかかる発明は、防水型接続部に接続状態報知手段と電流遮断手段とを設けたものである。接続状態を検知し、接続状態の悪い場合には、接続状態報知手段により知らせ、さらに電流遮断手段により電力の供給を停止することにより、防水型接続部の漏電や感電などの安全性を向上させることができるのである。
【００１３】
本発明の請求項６にかかる発明は、接続状態報知手段と電流遮断手段とをコネクタ受け部に設ける構成とする。そして、コネクタ受け部には、第２の電源出力部からの出力供給により、電力の必要な接続状態報知手段と電流遮断手段とを容易に設けることができ、防水型接続部の漏電や感電などの安全性を向上させることができるとともに使用者に接続状態の異常を知らしめることができる。
【００１４】
本発明の請求項７にかかる発明は、接続状態検知手段により接続状態を検知し、接続状態が良くない場合に、接続状態報知手段により使用者に知らせかつ電流遮断手段により電力の供給を停止するようにする。そして、防水型接続部の漏電や感電などの安全性を向上させることができるとともに使用者に接続状態の異常を知らしめることができる。
【００１５】
本発明の請求項８にかかる発明は、第１の電気機器と第２の電気機器への電源供給を切り替えるための切り替え制御部を付加した構成とする。そして、切り換え制御部により、電気機器を両方ＯＮ状態にすることや第１の電気機器だけあるいは第２の電気機器だけＯＮ状態にすることなど任意に制御可能となる。
【００１６】
本発明の請求項９にかかる発明は、前記切り替え制御部は商用電源印可毎に第１の電気機器と第２の電気機器を共にＯＮするモードと第２の電気機器のみをＯＮするモードとを切り替える構成とする。そして、切り替え制御部により、電気機器を両方ＯＮ状態にすることとだけあるいは第２の電気機器だけＯＮ状態にすることが制御可能となる。
【００１７】
本発明の請求項１０にかかる発明は、前記切り替え制御部は商用電源をＯＦＦ後所定時間内に再度ＯＮする場合には第２の電気機器のみをＯＮするモードと第１の電気機器と第２の電気機器を共にＯＮするモードとを切り替え、所定時間経過後にＯＮする場合には第１の電気機器と第２の電気機器を共にＯＮするモードとした構成にする。そして、切り替え制御部により、電気機器を両方ＯＮ状態にすることとだけあるいは第２の電気機器だけＯＮ状態にすることが制御可能となる。
【００１８】
【実施例】
以下、本発明の実施例について図面を用いて説明する。
【００１９】
図１は本発明の浴室用電源装置の電気回路図である。商用電源１００Ｖを浴室用電源装置１０に入力する。浴室用電源装置１０は電源入力部１１と絶縁型装置１２と第１の電源出力部１３と第２の電源出力部１４と中継電源線１５と防水型接続部１６で構成する。電源入力部１１から絶縁型装置１２への入力から分岐して第１の電源出力部１３から第１の電気機器１７である照明機器，換気扇，換気乾燥機，テレビ受像機等へ電源を供給する。絶縁型装置１２は絶縁トランス，スイッチングレギュレータ等により絶縁された電圧（ＡＣ又はＤＣ）を第２の電源出力部１４から中継電源線１５を介して防水型接続部１６から浴室近傍に設けた第２の電気機器１８である床暖房装置，シャワー装置，噴流浴槽装置，テレビ受像機，ラジオ，曇り止め鏡，除湿機，乾燥機，扇風機，マッサージ機，掃除機，電動タワシ，照明機器，浴室洗浄装置等に供給する。
【００２０】
図２，図３は本発明の浴室用電源装置の設置断面図である。既設の浴室に新たに第２の電気機器１８を設置する場合には、既設の第１の電気機器１７を利用して設置するのが最も容易な方法である。例として図１で説明した第１の電気機器１７に照明機器を使用した場合で説明する。浴室には照明機器は必ず設置されており浴室の天井若しくは壁に設置されている。図２は照明機器を壁に設置した場合を図３は天井に設置した場合を示している。まず図２の照明機器を壁に設置した場合で説明する。照明機器１７は、端子台１９から電源を入力しランプ２０を点灯する。電源は浴室の天井裏から１００Ｖ電源線２１を浴室の壁２２の壁穴２３を通して電源ボックス２４に供給し、電源ボックス２４は壁２２に固定し取りつける。電源ボックス２４は電源入力部と、絶縁型装置と、第１の電気機器の取りつけ部と、前記第１の電気機器への第１の電源出力部と、前記絶縁型装置からの第２の電源出力部とが一体に構成され、堅固な樹脂又は金属で形成されておりパッキンなどを用い防水構造としてある。このような一体構成にすることにより施工性が向上し、また防水構造にすることにより、漏電や感電などの安全性を確保できる。
【００２１】
図２で示した例では前記既設の１００Ｖ電源線２１を電源ボックス２４に入力し、その電源ボックス２４から電源接続を可能に形成した第１の電気機器１７に電源を供給する。つまり、電源入力部１１に入力した電源を第１の電源出力部１３から電源線２５を介して端子台１９に供給するのである。また、電源入力部１１から絶縁型装置１２へ入力し、絶縁型装置で絶縁された電源（ＡＣ又はＤＣ）を第２の電源出力部１４から中継電源線１５を介し防水型接続部１６から浴室近傍に設けた第２の電気機器１８に供給する。中継電源線１５は遮蔽板２６内を通し、電源ボックス２４に固定する。さらに中継電源線１５と遮蔽板２６間は接着剤等により充填しているため防水構造になっている。中継電源線１５は保護ダクト２７で覆い保護する。防水型接続部１６は、第２の電源出力部側からのコネクタ受け部２８と第２の電気機器１８からのコネクタ差込部２９を接続する。接続時は防水型又は防湿が確保できる。
【００２２】
また電源ボックス２４は第１の電気機器１７が取りつけ可能に形成している。第１の電気機器１７がビス３０で固定可能なように取りつけ穴ピッチを同一にする等取りつけ可能なように配慮した構成になっている。また電源ボックス２４は第１の電気機器１７が浴室の壁２２に取りつけられていた構成を利用して取りつけられる構成にしている。
【００２３】
電源ボックス２４と第１の電気機器１７はパッキン等により防水する。また、電源線２５は第１の電源出力部１３から電源ボックス２４と第１の電気機器１７の電線貫通部を通り、端子台１９に接続する。このため電源接続部がパッキン等の内側にあり防水構造としている。
【００２４】
浴室用電源装置１０は上記説明したように電源入力部１１と絶縁型装置１２と第１の電源出力部１３と第２の電源出力部１４と中継電源線１５と防水型接続部１６で構成している。
【００２５】
絶縁型装置１２は１００Ｖ電源を降圧する役目も兼ねた絶縁型降圧装置とすることもできる。絶縁型降圧装置とする場合は電圧が直流であれば４５Ｖ以下、交流であれば３０Ｖ以下とすることにより安全を確保することができる。
【００２６】
絶縁型装置１２からの出力を浴室近傍に設けた他の電気機器に供給する配線を浴室内に通すと、施工が容易になる。
【００２７】
説明は第１の電気機器を照明機器の場合で行ったが他の第１の電気機器の場合も同様である。
【００２８】
上記説明したように浴室用電源装置１０は既設の第１の電気機器１７を利用して設置する場合もあるし、また新築の場合に浴室用電源装置１０を設置後電気機器１７を取りつけてもよい。
【００２９】
上記説明は既設の照明機器が浴室の壁に設置してある場合について（つまり電源ボックス２４が壁側に設置してある）述べたが、図３は既設の照明機器が浴室の天井に設置してある場合を示している。照明機器１７と電源ボックス２４が浴室の天井に設置してある。設置場所が異なるが、浴室用電源装置１０を電源入力部１１と絶縁型装置１２と第１の電源出力部１３と第２の電源出力部１４と中継電源線１５と防水型接続部１６で構成しており、構成，接続等は図２と同様である。
【００３０】
図４は防水型接続部１６の第一例である。第２の電源出力部側からのコネクタ受け部３１と第２の電気機器１８側からのコネクタ差込部３２で防水型接続部１６を構成する。
【００３１】
防水型接続部は、少なくとも接続状態検知手段と接続状態報知手段と電流遮断手段とを含むように構成し、接続状態を検知し、接続状態の悪い場合には、接続状態報知手段により知らせ、さらに電流遮断手段により電力の供給を停止することにより、防水型接続部の漏電や感電などの安全性を向上させる。
【００３２】
コネクタ受け部３１は接続状態検知手段の一部であるスイッチ３３と電流遮断手段であるリレー３４と接続状態報知手段であるランプ又はブザー３５と電極受け部３６を内蔵している。さらに、コネクタ差込部３２をねじこむネジ部３７を形成している。
【００３３】
コネクタ差込部３２はプラグ部３８とキャップ部３９で構成する。プラグ部３８には電極４０を形成しておりコネクタ受け部３１の電極受け部３６に差し込んで第２の電気機器１８に通電する構成にしている。電極４０の材質は銅又は銅合金に錫または金等でメッキを行いサビ難くしている。電極４０を差し込んだ後キャップ部３９をねじこんで防水処理を行う。キャップ部３９のネジ部４１をコネクタ受け部３１のネジ部３７にねじこんでいくと、ゴム等で形成したパッキン４２がシール部４３にあたり上下に圧縮状態になりシール部４６とともに防水できる。
【００３４】
また、キャップ部３９には接続状態検知手段の一部である磁石４４を内蔵しておりキャップ部３９がきちんとねじこまれた場合は磁石４４によりコネクタ受け部３１のスイッチ３３（リードスイッチ）をＯＮする構成にしている。キャップ部３９のねじこみ不足の場合は磁石４４が離れているためスイッチ３３がＯＮせず接続状態報知手段であるランプ又はブザーを動作させて使用者に直ちに知らせる構成にしている。また、ねしこみが正常に行われれば磁石によりスイッチがＯＦＦし接続状態が正しいことを検知できる。
【００３５】
第２の電気機器１８を掃除したり、季節などにより使用しない場合にコネクタ差込部３２を取りはずす場合がある。その時は保護コネクタ部４５をコネクタ受け部３１にねじこんで防水型接続部１６の防水を行う。保護コネクタ部４５をコネクタ受け部３１にねじこむとコネクタ差込部３２の場合と同様パッキン４２が上下に圧縮状態になり防水できる。
【００３６】
保護コネクタ部４５も磁石４４を内蔵しており、ねじこみ不足の場合は磁石４４が離れているためスイッチ３３がＯＮせずランプ又はブザーを動作させて使用者に直ちに知らせる構成にしている。またコネクタ受け部３１から保護コネクタ部４５が離れないようにしておくためにバンド４７を設けている。
【００３７】
図５は防水型接続部１６の第二例である。図４の第一例と異なる点は防水構造である。防水用のパッキン４８にＯリングを用いており、Ｏリングはコネクタ受け部３１に取りつけてある。プラグ部３８のシール部４９でパッキン４８を圧縮して防水する。
【００３８】
コネクタ差込部３２と保護コネクタ部４５のコネクタ受け部３１への取りつけ方法は第一例と同様である。
【００３９】
図６は防水型接続部１６の第三例である。図５の第二例と異なる点はコネクタ受け部３１を内ネジとしコネクタ差込部３２を外ネジとしたことである。コネクタ差込部３２をねじこんで防水する構成は第一例，第二例と同様である。第三例でも防水用のパッキン５０をプラグ部３８のシール部４９で圧縮して防水する。また磁石４４をキャップ部５１の側面に設けておりスイッチ３３（リードスイッチ）もコネクタ受け部３１の側面に設けキャップ部３９をきっちりねじこんだ場合にＯＮする構成にしている。
【００４０】
図７は防水型接続部の電気回路図である。防水型接続部１６をコネクタ受け部３１とコネクタ差込部３２で構成している。コネクタ受け部３１は入力端子部５２から電源を入力し、コネクタ差込部３２の磁石４４が近接し所定の磁界を受けるとスイッチ３３がＯＮしてリレー３４のコイルに電気を励磁し接点を閉じて電極受け部３６に電源を出力する。磁石４４が離れている場合はスイッチ３３がＯＦＦするためフォトカプラのダイオード５３がＯＮしてフォトカプラのトランジスタ５４がＯＮしてランプ又はブザー３５を動作し使用者にキャップ部の締め忘れ、ねじこみ不足等を知らせる。また万一水がかかる場合を考慮しリレー接点をＯＦＦするため電極受け部３６の端子間に漏洩電流が流れることがない。
【００４１】
コネクタ３２は電極４０と磁石４４を設けている。
図８は本発明の浴室用電源装置に切り替え制御部を付加した電気回路図である。
【００４２】
商用電源から電源スイッチ５５を介して浴室用電源装置１０に電源を入力する。浴室用電源装置１０は図１の浴室用電源装置に切り替え制御部５６を付加している。
【００４３】
電源を電源入力部１１から切り替え制御部５６に入力し、切り替え制御部５６で第１の電源出力部１３を介して第１の電気機器１７と、絶縁型装置１２、第２の電源出力部１４、防水型接続部１６を介して第２の電気機器１８への電源の切り替えを行う。電源スイッチ５５は既設のスイッチであり、そのスイッチを利用して電源の切り替えを行う。
【００４４】
図９は切り替え制御部の制御の第一例のフローチャートであり第１の電気機器と第２の電気機器への電源のＯＮ／ＯＦＦ制御を示している。
【００４５】
図中のスイッチは電源スイッチ５５を示している。初期状態のスイッチＯＦＦ（Ｓ１）からスイッチＯＮ（Ｓ２）すると第１の電気機器と第２の電気機器を共にＯＮする（Ｓ３）。その後スイッチをＯＦＦ（Ｓ４）すると第１の電気機器と第２の電気機器が共にＯＦＦする（Ｓ５）。次にスイッチをＯＮ（Ｓ６）すると第２の電気機器のみＯＮする（Ｓ７），その後スイッチをＯＦＦ（Ｓ８）すると第２の電気機器がＯＦＦする（Ｓ９）。
【００４６】
このようにスイッチをＯＮする毎、つまり商用電源印可毎に第１の電気機器と第２の電気機器を共にＯＮするモードと第２の電気機器のみＯＮするモードとを切り替えるようにする。
【００４７】
図１０は図９の切り替え制御部の具体的制御回路図を示している。
リレー５６はステップリレーを示しており電源スイッチ５５がＯＮし商用電源印可毎にＮＣ側とＮＯ側が切り替わる。ＮＣ側の場合にはリレー５７とリレー５８をＯＮして第１の電気機器と第２の電気機器を共にＯＮし、ＮＯ側の場合にはリレー５８のみをＯＮして第２の電気機器のみをＯＮするのである。
【００４８】
図１１は切り替え制御部の制御の第二例のフローチャートである。図９と異なる点を説明する。Ｓ５の後タイマーをスタート（Ｓ１０）しタイマー時間Ｔが所定時間Ｔ０以内（Ｓ１１）にスイッチをＯＮした（Ｓ６）場合には第２の電気機器をＯＮし、タイマー時間Ｔが所定時間Ｔ０を越えた場合にはＳ２に戻る。その後第２の電気機器をＯＦＦする（Ｓ９）とタイマーをスタートする。そしてタイマー時間Ｔが所定時間Ｔ０以内（Ｓ１２）にスイッチをＯＮした（Ｓ１３）場合には第１の電気機器と第２の電気機器を共にＯＮし、タイマー時間Ｔが所定時間Ｔ０を越えた場合にはＳ２に戻る。つまり商用電源をＯＦＦ後所定時間内に再度ＯＮする場合には第２の電気機器のみをＯＮするモードと第１の電気機器と第２の電気機器を共にＯＮするモードとを切り替え、所定時間経過後にＯＮする場合には第１の電気機器と第２の電気機器を共にＯＮするモードとしている。
【００４９】
図１２は図１１の切り替え制御部の具体的制御回路図を示している。
コンデンサ５９とコンデンサ６０でコンデンサ６０の容量をコンデンサ５９に対して十分大きくしている。通常状態では比較器６１の入力は抵抗分割により＋入力が−入力より高い電圧になっている。そのためスイッチ５５をＯＮした場合に時定数により比較器６１の入力は＋入力が−入力より高い電圧になっている。その時フリップフロップ６２の６３端子がＨｉになりリレー５７とリレー５８をＯＮして第１の電気機器と第２の電気機器を共にＯＮする。フリップフロップ６２の６４端子はＬｏである。その後スイッチ５５がＯＦＦすると比較器６１の入力はコンデンサ容量の違いにより−入力が＋入力より高くなり比較器６１の出力の６５端子に立ち下がりトリガーが入力され６４端子がＨｉになる。その状態で所定時間内にスイッチ５５がＯＮすると６４端子がＨｉのためリレー５７をＯＮして第２の電気機器をＯＮする。スイッチ５５がＯＦＦ状態で所定時間経過するとフリップフロップ６２にリセットがかかりその後スイッチ５５をＯＮすると第１の電気機器と第２の電気機器を共にＯＮするモードから始まる。前述の第２の電気機器をＯＮした状態からさらにスイッチＯＦＦ後所定時間内にスイッチ５５がＯＮすると６５端子に立ち下がりトリガーが入力され６４端子がＬｏになり６３端子がＨｉになる。このように切り替え制御部の制御を行なうのである。
【００５０】
【発明の効果】
以上説明したように本発明の請求項１に係る発明は、既設の浴室に新たに電気機器を設置する場合に電源装置を天井裏に設置するスペースが必要なく、また電源装置からのリード線を浴室の壁と梁、間柱等との間の隙間を通す必要がなく容易に工事ができるとともに、絶縁しかつ防水することにより安全性を確保することができる。また、防水型接続部を設けることにより、浴室の使用者が新たな第２の電気機器への接続を容易にすることができる。また、簡単な構成で、防水型接続部が構成でき、防水構造にすることにより、漏電や感電などの安全性を確保することができる。また、コネクタ受け部とコネクタ差込部を設けることにより、浴室の使用者が新たな第２の電気機器への接続を容易にすることができる。また、保護コネクタ部を設けることにより、季節などにより第２の電気機器を使用しない場合における漏電や感電などの安全性が確保される。また、接続状態検知手段で、保護コネクタ部のコネクタ受け部への接続状態を検知できる。
【００５１】
本発明の請求項２に係る発明は、電源ボックスとして一体に構成することにより施工性が向上し、また防水構造にすることにより、安全性を確保できる。
【００５２】
本発明の請求項３に係る発明は、接続状態検知手段で第２の電気機器側からのコネクタ差込部のコネクタ受け部への接続状態を検知できる。
【００５３】
本発明の請求項４に係る発明は、ねじこみ不足の場合は磁石が離れているためスイッチがＯＮしないことにより、接続状態が悪いことを検知し、ねじこみが正常に行われれば磁石によりスイッチがＯＦＦし接続状態が正しいことを検知できる。
【００５４】
本発明の請求項５に係る発明は、接続状態を検知し、接続状態の悪い場合には、接続状態報知手段により知らせ、さらに電流遮断手段により電力の供給を停止することにより、防水型接続部の漏電や感電などの安全性を向上させることができる。
【００５６】
本発明の請求項６に係る発明は、コネクタ受け部には、第２の電源出力部からの出力供給により、電力の必要な接続状態報知手段と電流遮断手段とを容易に設けることができ、防水型接続部の漏電や感電などの安全性を向上させることができるとともに使用者に接続状態の異常を知らしめることができる。
【００５７】
本発明の請求項７に係る発明は、防水型接続部の漏電や感電などの安全性を向上させることができるとともに使用者に接続状態の異常を知らしめることができる。
【００５８】
本発明の請求項８に係る発明は、切り替え制御部により、電気機器を両方ＯＮ状態にすることや第１の電気機器だけあるいは第２の電気機器だけＯＮ状態にすることなど任意に制御可能となる。
【００５９】
本発明の請求項９および１０に係る発明は、切り替え制御部により、電気機器を両方ＯＮ状態にすることとだけあるいは第２の電気機器だけＯＮ状態にすることが制御可能となる。
【図面の簡単な説明】
【図１】本発明の浴室用電源装置の電気回路図
【図２】同装置の設置断面図
【図３】同装置の別の設置断面図
【図４】同装置の第一例の防水型接続部の断面図
【図５】同装置の第二例の防水型接続部の断面図
【図６】同装置の第三例の防水型接続部の断面図
【図７】同装置の防水型接続部の電気回路図
【図８】同装置の切り替え制御部を付加した電気回路図
【図９】同装置の切り替え制御部の制御の第一例のフローチャート
【図１０】同装置の切り替え制御部の具体的制御回路図
【図１１】同装置の切り替え制御部の制御の第二例のフローチャート
【図１２】同装置の切り替え制御部の他の具体的制御回路図
【図１３】従来の浴室用電源装置を示す図
【符号の説明】
１０  浴室用電源装置
１２  絶縁型装置
１６  防水接続部
１７  第１の電気機器
１８  第２の電気機器
２４  電源ボックス
２８，３１  コネクタ受け部
２９，３２  コネクタ差込部
４５  保護コネクタ部
【図１】
0004044672.tif 000002
【図２】
0004044672.tif 000003
【図３】
0004044672.tif 000004
【図４】
0004044672.tif 000005
【図５】
0004044672.tif 000006
【図６】
0004044672.tif 000007
【図７】
0004044672.tif 000008
【図８】
0004044672.tif 000009
【図９】
0004044672.tif 000010
【図１０】
0004044672.tif 000011
【図１１】
0004044672.tif 000012
【図１２】
0004044672.tif 000013
【図１３】
0004044672.tif 000014